(57)【特許請求の範囲】
【請求項１】
基板上に搭載されるレセプタクルと、前記レセプタクルに接続されるプラグとからなるコネクタであって、
前記レセプタクルは、内部に接続端子を収容する略角筒状の金属板で形成されたシールドケースを有し、
前記プラグは、内部に接続端子を収容し、前記レセプタクルのシールドケースに挿入される略角筒状の金属板で形成されたシールドケースを有し、
前記プラグのシールドケースを前記レセプタクルのシールドケースに挿入することにより、前記プラグの接続端子と前記レセプタクルの接続端子とが電気的に接続されるようになっており、
前記レセプタクルのシールドケースの前記基板に搭載される側の底面をなす金属板は、その左右両側に前記プラグの挿入方向略中央まで切り欠かれた２つの切り欠き部が形成されており、該２つの切り欠き部間に形成された舌片を有しており、前記プラグのシールドケースの底面をなす金属板は、前記レセプタクルの前記シールドケースの前記舌片に対応する凹部を有しており、
前記舌片と前記凹部とが、前記プラグを前記レセプタクルに接続する際に、互いに挿嵌することにより誤挿入が防止される誤挿入防止案内手段を構成しており、
前記プラグを前記レセプタクルに接続する際に、前記誤挿入防止案内手段を介して、前記レセプタクルのシールドケースの前記舌片が前記プラグのシールドケースの前記凹部に挿嵌されることにより、前記レセプタクルのシールドケースの底面をなす金属板と前記プラグのシールドケースの底面をなす金属板とが嵌合するように構成されており、
前記レセプタクルのシールドケースの底面をなす金属板の板厚は、前記プラグのシールドケースの底面をなす金属板の板厚よりも厚くなっており、前記レセプタクルが基板に搭載された状態で前記プラグが前記レセプタクルに接続された際に、前記プラグのシールドケースの底面と前記基板の上面との間に、若干の間隙が生じるようになっていることを特徴とするコネクタ。
【請求項２】
前記舌片は、前記レセプタクルのシールドケースの底面をなす金属板の左右両側を前記プラグの挿入方向略中央まで切り欠いて、略長方形状に形成されている請求項１に記載のコネクタ。
【請求項３】
前記舌片は、前記レセプタクルのシールドケースの底面をなす金属板の左右両側を前記プラグの挿入方向略中央まで切り欠いて、略台形状に形成されている請求項１に記載のコネクタ。
【請求項４】
前記プラグのシールドケースの上面をなす金属板には、凹部が形成されており、前記レセプタクルのシールドケースの上面をなす金属板には、前記プラグが前記レセプタクルに挿嵌された際に、前記プラグのシールドケースの前記凹部に係合する弾性係止片が形成されている請求項１ないし３のいずれかに記載のコネクタ。
【発明の詳細な説明】
【技術分野】
【０００１】
本発明はレセプタクルとプラグにより構成されたコネクタに関する。
【背景技術】
【０００２】
一般に、プラグとレセプタクルからなる小型コネクタは、プラグがレセプタクルに例えば逆向きなどの誤った向きで挿入されること（以下、「誤挿入」とする）を防止するために、誤挿入防止手段が設けられている。
【０００３】
そのような誤挿入防止手段としては、レセプタクルのシールドケースのプラグ嵌合口下部に誤挿入防止突起を設ける方法が知られている。
【０００４】
また他の方法としては、プラグのシールドケースとレセプタクルのシールドケースの上下左右を非対称とする方法や、ミニＵＳＢコネクタに代表されるようにプラグのシールドケースとレセプタクルのシールドケースの嵌合口上側角部をＣ面に構成する方法がある。
【発明の開示】
【発明が解決しようとする課題】
【０００５】
従来のプラグ嵌合口下部に誤挿入防止突起を設ける方法では、そのような突起の分だけレセプタクルの幅が広くなったり高さが高くなったりしてしまい、コネクタをさらに小型化するのが難しいという問題点がある。
【０００６】
また、レセプタクルのシールドケースの嵌合口上側角部をＣ面に構成する方法では、プラグがレセプタクルに斜めに挿入された場合に十分に対応できない。また、コネクタをより小型化した場合には、そのようなＣ面を設けていても、逆向きでプラグをレセプタクルに無理やり挿入できてしまうという問題点もある。
【０００７】
本発明は、従来のコネクタにおける以上のような問題に鑑みなされたもので、コネクタを小型化した場合でも、プラグのレセプタクルに対する誤挿入および斜め挿入を確実に防止できるコネクタを提供することを目的とする。
【課題を解決するための手段】
【０００８】
本発明に係るコネクタは、基板上に搭載されるレセプタクルと、前記レセプタクルに接続されるプラグとからなるコネクタであって、
前記レセプタクルは、内部に接続端子を収容する略角筒状の金属板で形成されたシールドケースを有し、
前記プラグは、内部に接続端子を収容し、前記レセプタクルのシールドケースに挿入される略角筒状の金属板で形成されたシールドケースを有し、
前記プラグのシールドケースを前記レセプタクルのシールドケースに挿入することにより、前記プラグの接続端子と前記レセプタクルの接続端子とが電気的に接続されるようになっており、
前記レセプタクルのシールドケースの前記基板に搭載される側の底面をなす金属板は、その左右両側に前記プラグの挿入方向略中央まで切り欠かれた２つの切り欠き部が形成されており、該２つの切り欠き部間に形成された舌片を有しており、前記プラグのシールドケースの底面をなす金属板は、前記レセプタクルの前記シールドケースの前記舌片に対応する凹部を有しており、
前記舌片と前記凹部とが、前記プラグを前記レセプタクルに接続する際に、互いに挿嵌することにより誤挿入が防止される誤挿入防止案内手段を構成しており、
前記プラグを前記レセプタクルに接続する際に、前記誤挿入防止案内手段を介して、前記レセプタクルのシールドケースの前記舌片が前記プラグのシールドケースの前記凹部に挿嵌されることにより、前記レセプタクルのシールドケースの底面をなす金属板と前記プラグのシールドケースの底面をなす金属板とが嵌合するように構成されており、
前記レセプタクルのシールドケースの底面をなす金属板の板厚は、前記プラグのシールドケースの底面をなす金属板の板厚よりも厚くなっており、前記レセプタクルが基板に搭載された状態で前記プラグが前記レセプタクルに接続された際に、前記プラグのシールドケースの底面と前記基板の上面との間に、若干の間隙が生じるようになっていることを特徴とする。
【０００９】
本発明に係るコネクタは、前記舌片が、前記レセプタクルのシールドケースの底面をなす金属板の左右両側を前記プラグの挿入方向略中央まで切り欠いて、略長方形状に形成されていることが好ましい。
【００１０】
本発明に係るコネクタは、前記舌片が、前記レセプタクルのシールドケースの底面をなす金属板の左右両側を前記プラグの挿入方向略中央まで切り欠いて、略台形状に形成されていることが好ましい。
【００１１】
本発明に係るコネクタは、前記プラグのシールドケースの上面をなす金属板には、凹部が形成されており、前記レセプタクルのシールドケースの上面をなす金属板には、前記プラグが前記レセプタクルに挿嵌された際に、前記プラグのシールドケースの前記凹部に係合する弾性係止片が形成されていることが好ましい。
【発明の効果】
【００１２】
請求項１記載の本発明に係るコネクタは、レセプタクルのシールドケースの基板に搭載される側の底面をなす金属板に形成された舌片とプラグのシールドケースの底面をなす金属板に形成された凹部とが、プラグをレセプタクルに接続する際に相互に挿嵌する誤挿入防止案内手段を構成しているため、レセプタクルのシールドケースのプラグ嵌合部下部等に誤挿入防止突起を設ける必要がない。このためレセプタクルに誤挿入防止突起を設けるための独立したスペースを必要とせず、レセプタクルのシールドケースの底面に誤挿入防止手段を設けるスペースを確保することができるため、レセプタクルの薄型化及び小型化を図ることができる。また、請求項１記載の本発明に係るコネクタは、プラグをレセプタクルに接続した状態で、プラグのシールドケースがレセプタクルのシールドケースに完全に覆われる構成ではなく、それぞれのシールドケースの底面をなす金属板同士が互いに嵌合した構成を有している。そのため、プラグのシールドケースの底面をなす金属板がレセプタクルのシールドケースの底面をなす金属板に覆われる構成のコネクタに比べて、レセプタクルのさらなる薄型化を図ることができる。また、請求項１記載の本発明に係るコネクタは、レセプタクルのシールドケースの底面をなす金属板の板厚が、プラグのシールドケースの底面をなす金属板の板厚よりも厚くなっているため、プラグ（プラグのシールドケース）が基板に干渉することなく、プラグをレセプタクルに接続することができる。
【００１３】
また、請求項１記載の本発明に係るコネクタは、誤挿入された際に、舌片が凹部の存在しない部分と干渉し、逆向きの誤挿入を効果的に防止することができる。また、舌片が凹部に案内されるため、プラグの斜め方向からの好ましくない挿入も防止することができる。
【００１４】
また、請求項１記載の本発明に係るコネクタは、前記舌片がレセプタクルのシールドケースの底面をなす金属板に形成されており、凹部はプラグのシールドケースの底面をなす金属板に形成されているため、舌片の湾曲が基板によって防止されるため、誤挿入によるレセプタクルの変形を防止することができる。
【００１５】
請求項２記載の本発明に係るコネクタは、前記舌片が、レセプタクルのシールドケースの底面の左右両側をプラグの挿入方向略中央まで切り欠いて、略長方形状に形成されているため、レセプタクルのシールドケース底面を利用することにより誤挿入防止手段を構成する舌片を設けることができる。このため、誤挿入防止手段を設けることによるレセプタクルのサイズの増加を回避し、コネクタの小型化を実現することができる。
【００１６】
請求項３記載の本発明に係るコネクタは、前記舌片が、レセプタクルのシールドケースの底面の左右両側をプラグの挿入方向略中央まで切り欠いて、略台形状に形成されているため、プラグの凹部の挿入を容易にすることができる。
【００１７】
請求項４記載の本発明に係るコネクタは、前記レセプタクルのシールドケースの上面をなす金属板には、プラグがレセプタクルに挿嵌された際に、プラグのシールドケースの上面をなす金属板に形成された凹部に係合する弾性係止片が形成されているため、プラグの脱落を防止することができる。
【発明を実施するための最良の形態】
【００１８】
以下、添付図面を参照しつつ本発明に係る実施形態のコネクタについて詳細に説明する。本実施形態のコネクタは、基板上１１に搭載されるレセプタクル１と、前記レセプタクル１に接続されるプラグ５とからなるコネクタであって、前記レセプタクル１は、内部に１２本の接続端子３１を収容する略角筒状のシールドケース２を有し、前記プラグ５は、内部に１２本の接続端子７１を収容し、前記レセプタクル１のシールドケース２に挿入される略角筒状のシールドケース６を有し、前記プラグ５のシールドケース６を前記レセプタクル１のシールドケース２に挿入することにより、前記プラグ５の接続端子７１と前記レセプタクル１の接続端子３１とが電気的に接続されるようになっている。このコネクタは、前記レセプタクル１の前記シールドケース２の基板１１に搭載される側の底面２１（すなわち、底面２１をなす金属板）と前記プラグ５の前記シールドケース６の底面６１（すなわち、底面６１をなす金属板）に、前記プラグ５を前記レセプタクル１に接続する際に相互に挿嵌する誤挿入防止案内手段である舌片２３と凹部６３を設けたことを特徴とする。
【００１９】
最初に、図１ないし図５を参照しつつ、本実施形態のコネクタに用いるレセプタクル１を説明する。このレセプタクル１は、略角筒状のシールドケース２と、シールドケース２の内部に収容された接続端子部３と、シールドケース２の内部に収容されたハウジング４とを有する。そして、図２及び図５に示すように、レセプタクル１は基板１１上に搭載される。
【００２０】
シールドケース２は、所定形状に打ち抜かれた一枚の導電性の金属板を折り曲げて略角筒状に形成したものである。レセプタクル１が搭載される基板１１側の底面２１（図４参照）と、その底面２１の反対側の上面２６（すなわち、上面２６をなす金属板）と、これら底面２１と上面２６との間に位置する側面２８（すなわち、側面２８をなす金属板）とを有している。
【００２１】
図４に示すように、底面２１の左右両側は、プラグ５の挿入方向略中央まで切り欠かれ、２つの切り欠き部２４が形成されている。そして、それら切り欠き部２４、２４の間に略長方形状の舌片２３が形成されている。この舌片２３は、レセプタクル開口部１ａ側の先端部２３ａと、レセプタクル背面部１ｂ側の基部２３ｂと、舌片２３の側方に位置する側部２３ｃとを有している。後述するように、レセプタクル１へプラグ５が挿入された際に、この舌片２３はプラグ５のシールドケース６の底面６１に形成されている凹部６３に挿入される。そして、先端部２３ａは凹部６３の基部６３ａと、基部２３ｂは凹部６３の開口部６３ｂと、そして、側部２３ｃは凹部６３の側部６３ｃと当接する（図１１及び図１２参照）。
【００２２】
レセプタクル１の底面２１を形成する金属板の板厚の厚さ（図２の符号Ａにより示される厚さ）は、後述するプラグ５のシールドケース６の底面６１を形成する金属板の板厚の厚さ（図７の符号Ｂにより示される厚さ）よりも厚くなっている。この板厚の違いは、レセプタクル１が基板１１に搭載された状態でプラグ５がレセプタクル１に接続された際に、プラグ５の底面６１と基板１１との上面との間に若干の間隙を生じさせる。このため、プラグ５が基板１１に干渉することなく、プラグ５をレセプタクル１に接続することができる。
【００２３】
図１に示すように、上面２６の略中央には弾性係止片２７が形成されている。この弾性係止片２７は上面２６の打ち抜き加工により形成されている。後述するように、レセプタクル１へプラグ５が挿入された際に、この弾性係止片２７は、プラグ５のシールドケース６の上面６６（後述する上面６６をなす金属板）に形成されている凹部６７と係合する（図６参照）。
【００２４】
図１に示すように、２つの側面２８は、それぞれの上部角部に設けたＣ面２８ａと、それぞれの下端部に設けた一対の係合突起２９とを有している。このＣ面２８ａの形状は、後述するようにプラグ５のシールドケース６の側面６８に形成されているＣ面６８ａの形状に対応した形状を有している（図７参照）。
【００２５】
係合突起２９は、レセプタクル１を基板１１上に固定するための部材である。すなわち、図２及び図５に示すように、レセプタクル１を基板１１に搭載した際に、基板１１に形成した取付け孔１１ａに挿入された後、基板１１の裏面側において半田付けされる。
【００２６】
図２及び図５に示すように、接続端子部３は、複数の接続端子３１と、この接続端子３１を支持する平板状の端子支持部３２と、複数の背面接続端子３３とを有する。各接続端子３１と各背面接続端子３３は一本の導電性金属片から形成されており、図５に示すようにハウジング４を貫通するように設けられている。また、各接続端子３１は、端子支持部３２の下方に配置され、プラグ５とレセプタクル１が接続された際に、後述するプラグ５の接続端子部７の対応する各接続端子７１と接触し、電気的に接続される。なお、背面接続端子３３は、基板１１上の接続個所（図示せず）に半田付けされる（図５参照）。
【００２７】
図５に示すハウジング４は、絶縁体である樹脂成型品であり、上記端子支持部３２と一体に形成されると共に、シールドケース２を支持している。
【００２８】
最初に、図６ないし図１０を参照しつつ、本実施形態のコネクタに用いるプラグ５を説明する。このプラグは、略角筒状のシールドケース６と、シールドケース６の内部に収容された接続端子部７と、シールドケース６の基部に設けられたプラグ本体５１とを有する。そして、図６に示すように、プラグ５はコード５２に接続されている。
【００２９】
図６及び図７に示すように、シールドケース６は、導電性の金属板を略角筒状に形成したものであり、レセプタクル１のシールドケース２の底面２１と対応する面である底面６１（図７参照）と、その底面６１の反対側の上面６６（すなわち、上面６６をなす金属板）と、これら底面６１と上面６６との間に位置する側面６８（すなわち、側面６８をなす金属板）とを有している。
【００３０】
図１０に示すように、底面６１の中央には、凹部６３が形成されており、プラグ５をレセプタクル１に接続する際に、レセプタクル１の舌片２３と嵌合するようになっている。この凹部６３は、基部６３ａと、開口部６３ｂと、側部６３ｃとを有し、それぞれ基部６３ａは舌片２３の先端部２３ａと、開口部６３ｂは舌片２３の基部２３ｂと、そして、側部６３ｃは舌片２３の側部２３ｃと当接する（図１１及び図１２参照）。
【００３１】
底面６１を形成する金属板の板厚の厚さ（図７の符号Ｂにより示される厚さ）は、レセプタクル１のシールドケース２の底面２１を形成する金属板の板厚の厚さ（図２の符号Ａにより示される厚さ）よりも薄くなっており、プラグ５が基板１１に干渉することなく、プラグ５をレセプタクル１に接続することができるようになっている。
【００３２】
図９に示すように、上面６６の略中央には凹部６７が形成されている。この凹部６７は、レセプタクル１へプラグ５が挿入された際に、レセプタクル１のシールドケース２の上面２６に形成されている弾性係止片２７と係合し、プラグ５とレセプタクル１をより確実に接続する。
【００３３】
図７に示すように、２つの側面６８は、それぞれ上部角部に設けたＣ面６８ａを有している。このＣ面６８ａの形状は、プラグ５のシールドケース２の側面２８に形成されているＣ面２８ａの形状に対応した形状を有している。
【００３４】
図７に示す接続端子部７は、複数の接続端子７１と、この接続端子７１を支持する端子支持部７２とを有する。複数の接続端子７１は、プラグ本体５１の内部においてコード５２の各単線（図示せず）に接続されている。
【００３５】
以下、本実施形態の作用効果について説明する。
【００３６】
本実施形態のプラグ５とレセプタクル１との接続は、図１１及び図１２に示すように、プラグ５のシールドケース６をレセプタクル１のシールドケース２の内部へ挿入することにより行う。挿入の際には、誤挿入防止案内手段である舌片２３が凹部６３により案内されて凹部６３に嵌合し、プラグ５のシールドケース６が完全にレセプタクル１のシールドケース２の内部に確実に挿入することができる。また、舌片２３が凹部６３に案内されるため、プラグ５の斜め方向からの好ましくない挿入も防止することができる。
【００３７】
一方、プラグ５の底面６１がレセプタクル１の上面２６側になるように逆向きに誤挿入した場合には、プラグ５のシールドケース６の上面端部６６ａ（図６及び図７参照）が舌片２３の先端部２３ａと干渉するため、プラグ５をレセプタクル１の内部へ挿入することができない。このため、プラグ５のレセプタクル１に対する逆向きの誤挿入を確実に防止できる。
【００３８】
また本実施形態のレセプタクル１とプラグ５は、それぞれＣ面２８ａとＣ面６８ａを有しているため、より効果的に逆向きの誤挿入を防止することができる。なお、本実施形態においてはＣ面２８ａとＣ面６８ａとを有しているが、このようなＣ面を有することは必ずしも必要ではない。
【００３９】
舌片２３はレセプタクル１のシールドケース２の底面２１に形成されており、プラグ５が逆向きに誤挿入された場合でも舌片２３の下面は基板１１により支持されるため（図２参照）、舌片２３の下方（図１において矢印により示されている基板１１側方向）への湾曲が防止される。このため、かなり強い力でプラグ５が逆向きに誤挿入された場合でも、舌片２３のこのような湾曲が防止され、誤挿入によるレセプタクルの変形を防止することができる。
【００４０】
また舌片２３は、レセプタクル１のシールドケース２の底面２１を切り欠いて略長方形状に形成された舌片２３を有することにより、レセプタクルに誤挿入防止突起を設けるための独立したスペースを必要とせず、レセプタクルの薄型化及び小型化を図ることができる。
【００４１】
さらに、レセプタクル１の底面２１を形成する金属板の板厚の厚さは、プラグ５のシールドケース６の底面６１を形成する金属板の板厚の厚さよりも厚くなっているため、プラグ５がレセプタクル１に接続された際に、プラグ５の底面６１と基板１１の上面との間に若干の間隙を生じさせる。このため、プラグ５が基板１１に干渉することなく、プラグ５をレセプタクル１に接続することができる。
【００４２】
プラグ５をレセプタクル１の内部に正しく挿入すると、レセプタクル１の弾性係止片２７がプラグ５の上面６６に形成されている凹部６７と係合し、プラグ５の脱落を防止することができる。
【００４３】
なお、上記実施形態のプラグにおいては、レセプタクル１が舌片２３を有し、プラグ５が凹部６３を有しているが、プラグが舌片を有し、レセプタクルがプラグの舌片に対応する形状を有する凹部を有していてもよい。また、上記実施形態のプラグは、舌片２３と凹部６３をそれぞれ一つずつ有しているが、複数の舌片と複数の凹部を有していてもよい。
【００４４】
さらに、上記実施形態の舌片２３は略長方形状に形成されているが、レセプタクル１とプラグ５との挿嵌が可能であれば、その形状を問わない。図１３に示す他の実施形態であるレセプタクル１の舌片２５は略台形状に形成されており、よりプラグ５の凹部の挿入を容易にする。この実施形態においては、プラグ５の凹部が舌片２５に対応する形状の台形状であることが望ましい。
【００４５】
また、図１３に示す他の実施形態のレセプタクル１は、その係合突起２９が側面２８の外側へ水平方向に延出している。このような係合突起２９は、レセプタクル１の基板１１への表面実装に対応する。
【図面の簡単な説明】
【００４６】
【図１】本発明に係る実施形態のコネクタに用いるレセプタクル１の斜視図である。なお、基板１１は表示されていない。
【図２】図１に示すレセプタクル１の正面図である。
【図３】図１に示すレセプタクル１の平面図である。
【図４】図１に示すレセプタクル１の底面図である。
【図５】図１に示すレセプタクル１の縦断面図である。
【図６】本発明に係る実施形態のコネクタに用いるプラグ５の斜視図である。
【図７】図６に示すプラグ５の正面図である。
【図８】図６に示すプラグ５の側面図である。
【図９】図６に示すプラグ５の平面図である。
【図１０】図６に示すプラグ５の底面図である。
【図１１】図１に示すレセプタクル１と図６に示すプラグ５の挿入直前の状態を示す斜視図である。なお、基板１１は表示されていない。
【図１２】図１に示すレセプタクル１と図６に示すプラグ５の接続状態を示す斜視図である。なお、基板１１は表示されていない。
【図１３】本発明に係る他の実施形態のコネクタに用いるレセプタクル１の斜視図である。なお、基板１１は表示されていない。
【符号の説明】
【００４７】
１  レセプタクル
１ａ  レセプタクル開口部
１ｂ  レセプタクル背面部
１１  基板
１１ａ  取付け孔
２、６  シールドケース
２１、６１  底面
２３、２５  舌片
２３ａ  先端部
２３ｂ、６３ａ  基部
２３ｃ、６３ｃ  側部
２４  切り欠き部
２６、６６  上面
２７  弾性係止片
２８、６８  側面
２８ａ、６８ａ  Ｃ面
２９  係合突起
３、７  接続端子部
３１、７１  接続端子
３２、７２  端子支持部
３３  背面接続端子
４  ハウジング
５  プラグ
５１  プラグ本体
５２  コード
６３、６７  凹部
６６ａ  上面端部
【図１】
0004665674.tif 000002
【図２】
0004665674.tif 000003
【図３】
0004665674.tif 000004
【図４】
0004665674.tif 000005
【図５】
0004665674.tif 000006
【図６】
0004665674.tif 000007
【図７】
0004665674.tif 000008
【図８】
0004665674.tif 000009
【図９】
0004665674.tif 000010
【図１０】
0004665674.tif 000011
【図１１】
0004665674.tif 000012
【図１２】
0004665674.tif 000013
【図１３】
0004665674.tif 000014